(57)【要約】【課題】商品収容庫の内部雰囲気を所望量だけ良好に循環させることができ、熱交換効率の低下を抑制することができる自動販売機の庫内送風構造を提供すること。【解決手段】断熱構造を有する商品収容庫３のそれぞれの内部であって、かつ背面ダクトＤの前面に配設された蒸発器１１と、商品収容庫３の内部空気を、背面ダクトＤを通過させた後に蒸発器１１を通過させる態様で送風する庫内送風ファンＦと、庫内送風ファンＦにより送風される内部空気を、商品収容庫３に収容された商品に向けて案内する庫内風胴１３とを一体的に組み立てて成る自動販売機の庫内送風構造１０において、庫内風胴１３は、底面を成す底板部１３１と、底板部１３１に載置されて立設する枠状の風胴本体１３２とを備えて成り、底板部１３１に対する風胴本体１３２の立設角度を鈍角にしたものである。【選択図】        図３
2010160573.tif 000002
【特許請求の範囲】
【請求項１】
断熱構造を有する商品収容庫のそれぞれの内部であって、かつ背面ダクトの前面に配設された庫内熱交換器と、
前記商品収容庫の内部雰囲気を、前記背面ダクトを通過させた後に前記庫内熱交換器を通過させる態様で送風する送風手段と、
前記送風手段により送風される内部雰囲気を、前記商品収容庫に収容された商品に向けて案内する庫内風胴と
を一体的に組み立てて成る自動販売機の庫内送風構造において、
前記庫内風胴は、底面を成す底板部材と、前記底板部材に載置されて立設する枠状の風胴本体とを備えて成り、前記底板部材に対する前記風胴本体の立設角度を鈍角にしたことを特徴とする自動販売機の庫内送風構造。
【請求項２】
前記庫内風胴は、１つの板状部材を屈曲させて構成したものであることを特徴とする請求項１に記載の自動販売機の庫内送風構造。
【発明の詳細な説明】
【技術分野】
【０００１】
本発明は、自動販売機の庫内送風構造に関するものである。
【背景技術】
【０００２】
従来、自動販売機の本体キャビネットの内部には断熱構造を有する商品収容庫が並設してある。これら商品収容庫のそれぞれの内部には、庫内熱交換器、庫内送風ファン及び庫内風胴を備えた庫内送風構造が配設されている。
【０００３】
庫内熱交換器は、いわゆる蒸発器であり、商品収容庫の背面ダクトの前面に設けられている。かかる庫内熱交換器は、圧縮機や凝縮器とともに冷凍サイクルを構成し、自身に構成された流路を通過する冷媒を蒸発させることにより、背面ダクトを通じて供給された内部空気（内部雰囲気）を冷却するためのものである。庫内送風ファンは、商品収容庫の内部空気を送風させるための送風源となるものである。この庫内送風ファンは、内部空気を、背面ダクトを通過させた後に庫内熱交換器を通過させる態様で送風するものである。庫内風胴は、庫内送風ファンにより送風される内部空気を、商品収容庫に収容された商品に向けて案内するものである。
【０００４】
そのような庫内送風構造は、後方側から、庫内熱交換器、庫内送風ファンが配設されたファンボックス、庫内風胴の順に一体的に組み立てて構成してある（例えば、特許文献１参照）。
【０００５】
【特許文献１】特開２００６−１７８５２９号公報
【発明の開示】
【発明が解決しようとする課題】
【０００６】
ところで、庫内熱交換器、ファンボックス（庫内送風ファン）及び庫内風胴のそれぞれの寸法誤差、あるいは背面ダクトの変形等により、これら庫内送風ファン、ファンボックス及び庫内風胴を一体的に組み立てても取付バラツキが生じてしまう虞れがある。このような取付バラツキにより、各部材間に隙間が生じてしまい、かかる隙間を内部空気が通過してしまう結果、商品収容庫の内部空気を良好に循環させることができず、熱交換効率の低下を招来する虞れがあった。
【０００７】
本発明は、上記実情に鑑みて、商品収容庫の内部雰囲気を所望量だけ良好に循環させることができ、熱交換効率の低下を抑制することができる自動販売機の庫内送風構造を提供することを目的とする。
【課題を解決するための手段】
【０００８】
上記目的を達成するために、本発明の請求項１に係る自動販売機の庫内送風構造は、断熱構造を有する商品収容庫のそれぞれの内部であって、かつ背面ダクトの前面に配設された庫内熱交換器と、前記商品収容庫の内部雰囲気を、前記背面ダクトを通過させた後に前記庫内熱交換器を通過させる態様で送風する送風手段と、前記送風手段により送風される内部雰囲気を、前記商品収容庫に収容された商品に向けて案内する庫内風胴とを一体的に組み立てて成る自動販売機の庫内送風構造において、前記庫内風胴は、底面を成す底板部材と、前記底板部材に載置されて立設する枠状の風胴本体とを備えて成り、前記底板部材に対する前記風胴本体の立設角度を鈍角にしたことを特徴とする。
【０００９】
また、本発明の請求項２に係る自動販売機の庫内送風構造は、上述した請求項１において、前記庫内風胴は、１つの板状部材を屈曲させて構成したものであることを特徴とする。
【発明の効果】
【００１０】
本発明の自動販売機の庫内送風構造によれば、庫内風胴は、底面を成す底板部材と、底板部材に載置されて立設する枠状の風胴本体とを備えて成り、底板部材に対する風胴本体の立設角度を鈍角にしたので、庫内風胴を商品収容庫の底壁に配設させると、庫内風胴が蒸発器の上部を後方に押圧する力が生じることになる。かかる力が生じる結果、蒸発器や庫内風胴等の寸法誤差による取付バラツキ、あるいは背面ダクトの変形による取付バラツキにより各部材間に隙間が生じることを回避することができる。よって、商品収容庫の内部雰囲気を送風手段により循環させる場合に、内部雰囲気が漏れてしまう虞れがなく、内部雰囲気を所望量だけ良好に循環させることができ、熱交換効率の低下を抑制することができるという効果を奏する。
【発明を実施するための最良の形態】
【００１１】
以下に添付図面を参照して、本発明に係る自動販売機の庫内送風構造の好適な実施の形態について詳細に説明する。
【００１２】
図１は、本発明の実施の形態である庫内送風構造が適用された自動販売機の内部構造を正面から見た場合を示す断面図である。ここで例示する自動販売機は、本体キャビネット１を備えている。
【００１３】
本体キャビネット１は、前面が開口した直方状の形態を成すものである。この本体キャビネット１には、その内部に例えば２つの断熱仕切板２によって仕切られた３つの独立した商品収容庫３が左右に並んだ態様で設けてある。この商品収容庫３は、缶入り飲料やペットボトル入り飲料等の商品を所望の温度に維持した状態で収容するためのもので、断熱構造を有している。
【００１４】
図２は、図１に示した自動販売機の内部構造を示すものであり、商品収容庫３の断面側面図である。かかる図２に示すように、本体キャビネット１の前面には、外扉４及び内扉５が設けてある。外扉４は、本体キャビネット１の前面開口を開閉するためのものであり、内扉５は、商品収容庫３の前面を開閉するためのものである。この内扉５は、上下に分割してあり、上側の扉５ａは商品を補充する際に開閉するものである。
【００１５】
上記商品収容庫３には、商品収納ラック６、搬出機構７、搬出シュータ８及び庫内送風構造１０が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００１６】
庫内送風構造１０は、蒸発器１１、ファンボックス１２及び庫内風胴１３を一体的に組み立てて構成してある。蒸発器１１は、商品収容庫３の底部であって背面ダクトＤの前面側に、該背面ダクトＤに連通する態様で配設してある。この蒸発器１１は、機械室９に配設された圧縮機２１、凝縮器２２及びキャピラリーチューブ２３とともに冷媒配管２４で順次接続されて冷媒回路を構成している。ここで機械室９は、本体キャビネット１の内部であって商品収容庫３と区画され、かつ商品収容庫３の下方側の室である。
【００１７】
圧縮機２１は、吸引口を通じて冷媒を吸引し、吸引した冷媒を圧縮して高温高圧の状態（高温高圧冷媒）にして吐出口より吐出するものである。凝縮器２２は、通過する冷媒を凝縮させるものである。より詳細に説明すると、圧縮機２１で圧縮され、かつ吐出口から吐出されて冷媒配管２４を通じて送出された冷媒を周囲空気と熱交換させて凝縮させるものである。キャピラリーチューブ２３は、通過する冷媒を減圧して断熱膨張させるものである。
【００１８】
ファンボックス１２は、前壁の一部に装着孔１２１を有するとともに、後壁の全面が開口した直方状を成すものであり、後壁の開口が蒸発器１１の前面を覆う態様で配設してある。このファンボックス１２には、装着孔１２１に進入する態様で庫内送風ファンＦが装着してある。庫内送風ファンＦは、自身が駆動することにより、商品収容庫３の内部空気（内部雰囲気）を送風する送風源となるものである。より詳細には、商品収容庫３の内部空気を、背面ダクトＤを通過させた後に、蒸発器１１の内部を通過させる態様で送風するものである。
【００１９】
庫内風胴１３は、ファンボックス１２の前方側において装着孔１２１に連通する態様で配設してある。この庫内風胴１３は、庫内送風ファンＦにより送風される内部空気を、商品収容庫３に収容された商品、すなわち商品収納ラック６に収納された商品に向けて案内するものである。
【００２０】
図３は、図２に示した庫内風胴１３を示す斜視図である。ここで例示する庫内風胴１３は、図４に示すような切削加工が施された１つの板状部材１３ａを屈曲させて構成したもので、底板部１３１、風胴本体１３２及び押え部１３３を備えている。
【００２１】
底板部１３１は、庫内風胴１３の底面を構成する部位である。かかる底板部１３１の前端部は上方に向けて屈曲されたガイド１３１ａが形成してある。ガイド１３１ａは、通過する内部空気を上方に向けて案内するためのものである。また、底板部１３１には、舌片状の取付片１３１ｂが形成され、かかる取付片１３１ｂには、締結部材Ｔ（図６参照）を挿通させる挿通孔１３１ｃが形成してある。
【００２２】
風胴本体１３２は、底板部１３１に載置された状態で立設された枠状のものである。かかる風胴本体１３２は、庫内送風ファンＦで送風された内部空気の通気通路を構成するものである。この風胴本体１３２を構成する側板１３２ａの前端には、ファンボックス１２の係合孔１２２（図５参照）に進入するための係合片１３２ａ１が形成してある。図５に示すように、かかる係合片１３２ａ１が係合孔１２２に進入することにより、庫内風胴１３は、ファンボックス１２に係合することになる。ここで風胴本体１３２の底板部１３１に対する立設角度、すなわち図３中の角度θは、鈍角、つまり９０°＋αに調整してある。図３中の符号１３４は、防水カバーである。
【００２３】
押え部１３３は、庫内風胴１３の後面を構成する部位であり、ファンボックス１２の装着孔１２１に連通する連通孔１３３ａが形成してある。この押え部１３３は、庫内風胴１３がファンボックス１２に係合される場合に、ファインボックスの装着孔１２１に進入する態様で配設された庫内送風ファンＦを支持するためのものである。
【００２４】
このような庫内風胴１３を、図５に示すように、ファンボックス１２の係合孔１２２に係合片１３２ａ１を進入させることによりファンボックス１２に係合させる。ファンボックス１２と係合した庫内風胴１３を、図６に示すように、ファンボックス１２の後壁の開口が蒸発器１１の前面を覆う態様で、前方側か押圧して締結部材Ｔを介して取付片１３１ｂを商品収容庫３の底壁に締結させることにより、蒸発器１１、ファンボックス１２及び庫内風胴１３により一体的に組み立てられた庫内送風構造１０が構成される。
【００２５】
この場合に、風胴本体１３２の立設角度を鈍角にしていることにより、庫内風胴１３を商品収容庫３の底壁に締結させると、庫内風胴１３がファンボックス１２を介して蒸発器１１の上部を後方に押圧する力が生じることになる。かかる力が生じる結果、例えば蒸発器１１、ファンボックス１２及び庫内風胴１３の寸法誤差による取付バラツキ、あるいは背面ダクトＤの変形による取付バラツキにより、各部材間に隙間が生じることを回避することができる。よって、商品収容庫３の内部空気を庫内送風ファンＦの駆動により循環させる場合に、庫内送風構造１０を構成する各部材間の隙間から内部空気が漏れてしまう虞れがなく、内部空気を所望量だけ良好に循環させることができ、熱交換効率の低下を抑制することができる。
【００２６】
また、上記庫内送風構造１０によれば、庫内風胴１３は、１つの板状部材１３ａを屈曲加工して構成したものなので、部品点数の増大化を招来する虞れがなく、製造コストの低減化を図ることが可能になる。
【図面の簡単な説明】
【００２７】
【図１】本発明の実施の形態である庫内送風構造が適用された自動販売機の内部構造を正面から見た場合を示す断面図である。
【図２】図１に示した自動販売機の内部構造を示すものであり、商品収容庫３の断面側面図である。
【図３】図２に示した庫内風胴を示す斜視図である。
【図４】図３に示した庫内風胴の基となる板状部材を示す説明図である。
【図５】図３に示した庫内風胴をファンボックスに係合させた状態を示す斜視図である。
【図６】庫内送風構造の取付状態を示す側面図である。
【符号の説明】
【００２８】
１０    庫内送風構造
１１    蒸発器
１２    ファンボックス
１２１    装着孔
１２２    係合孔
１３    庫内風胴
１３１    底板部
１３１ａ    ガイド
１３１ｂ    取付片
１３１ｃ    挿通孔
１３２    風胴本体
１３２ａ    側板
１３２ａ１  係合片
１３３    押え部
１３３ａ    連通孔
１３４    防水カバー
Ｄ    背面ダクト
Ｆ    庫内送風ファン
【図１】
2010160573.tif 000003
【図２】
2010160573.tif 000004
【図３】
2010160573.tif 000005
【図４】
2010160573.tif 000006
【図５】
2010160573.tif 000007
【図６】
2010160573.tif 000008